(57)【特許請求の範囲】
【請求項１】
長手方向の両端部に軸箱支持装置を収納するばね帽部を備える側梁と、平行に配設される前記側梁を接続する横梁と、から構成される鉄道車両の台車枠において、
前記側梁は、
平板を折り曲げて形成される上面部と下面部とを有す断面コ字型であるとともに、その長手方向の両端部に一体成形される半円筒形状のばね帽凸部を備える第１の側梁部材と、
平板を折り曲げて形成される上面部と下面部とを有す断面コ字型であるとともに、その長手方向の両端部に一体成形される半円筒形状のばね帽凸部を備える第２の側梁部材とを備え、
前記第１の側梁部材の上面部、下面部、ばね帽凸部の各端縁と、前記第２の側梁部材の上面部、下面部、ばね帽凸部の各端縁とを接合して形成されており、
前記側梁の中央部の幅寸法は前記側梁の両端部に形成されるばね帽部の幅寸法より小さく構成されるとともに、前記側梁の中央部の高さ寸法は前記側梁の両端部に形成されるばね帽部の高さ寸法より大きく構成されており、
円筒形状の前記ばね帽部を形成する前記上面部に、前記軸箱支持装置を構成する軸バネが配設されること、
を特徴とする鉄道車両の台車枠。
【請求項２】
請求項１に記載された鉄道車両の台車枠において、
前記側梁は、前記第１の側梁部材の上面部、下面部、ばね帽凸部の各端縁と、前記第２の側梁部材の上面部、下面部、ばね帽凸部の各端縁とを接合して形成されるとともに、その長手方向の両端部は開口しており、
前記開口を板体で接合することによって、前記側梁の長手方向両端部に円筒形状のばね帽部が形成されること、
を特徴とする鉄道車両の台車枠。
【請求項３】
長手方向の両端部に軸箱支持装置を収納するばね帽部を備える側梁と、平行に配設される前記側梁を接続する横梁と、から構成される鉄道車両の台車枠において、
前記側梁を構成する側梁部材は、
板材を折り曲げて形成される側壁部と上面部とを備える断面Ｌ字型であって、その長手方向両端部に一体成形される半円筒形状のばね帽凸部が備えられる第１の側梁部材と、
板材を折り曲げて形成される側壁部と上面部とを備える断面Ｌ字型であって、その長手方向両端部に一体成形される半円筒形状のばね帽凸部が備えられる第２の側梁部材とから構成されており、
前記側梁は、
前記第１の側梁部材の上面部、ばね帽凸部の各端縁と、前記第２の側梁部材の上面部、ばね帽凸部の各端縁を接合して、開口する１面と連結された５面を備える断面逆Ｕ字型に成形される側梁部材と、前記開口を閉鎖する板体とを備え、前記開口に前記板体を接合して形成されており、
前記側梁の中央部の幅寸法は前記側梁の両端部に形成されるばね帽部の幅寸法より小さく構成されるとともに、前記側梁の中央部の高さ寸法は前記側梁の両端部に形成される円筒形状のばね帽部の高さ寸法より大きく構成されており、
円筒形状の前記ばね帽部を形成する前記側梁部材の前記上面部に、軸箱支持装置を構成する軸バネが配設されること、
を特徴とする鉄道車両の台車枠。
【発明の詳細な説明】
【０００１】
【発明の属する技術分野】
本発明は、鉄道車両の台車枠に係り、特に、素材をプレス成形により製作されるものに好適な鉄道車両の台車枠に関するものである。
【０００２】
【従来の技術】
軸箱支持装置を収納する台車枠の側梁の構造は、収納する軸箱支持装置のコイルばねの形状に合せて、ばね帽部を円筒、あるいは角筒形状に形成して側梁部分に接続させていた（特開平６−３２９０２１号公報参照）。
このばね帽部は、鋳造品として製作するか、あるいは、溶接構造として製作した円筒、あるいは角筒形状を構成し、下面は軸ばねを収納するための閉じ部を有していた。一方、側梁本体は、板材をコの字型チャンネルにプレス成形し、コの字型チャンネルの開口位置に平板側バリ素材を突き合わせて接合して構成するか、あるいは、板材をプレス成形して箱形断面を半割にしたコ字型断面の側梁部材を製作し、この各側梁部材のコ字型断面の開口部側を突き合わせて溶接して側梁本体を製作していた。そして、前記側梁本体の両端部に、前記鋳造品或いは溶接構造の円筒、あるいは角筒形状のばね帽を１個ずつ溶接することによって側梁を構成していた。
【０００３】
【発明が解決しようとする課題】
上記従来の台車枠においては軸箱支持装置から垂直方向の荷重が負荷された際、上記ばね帽部と側梁本体との溶接部には、曲げ荷重が作用し高い応力が発生する。特に、ばね帽部と側梁本体部との側梁の長手方向に交差する方向の側バリ周囲の溶接部には、側梁の曲げ荷重が作用する。
このようにばね帽と側梁本体のプレス品を溶接結合した台車枠においては、剛性の急変による高応力が溶接結合部分に発生するため、高い溶接品質が要求され、溶接ビートのグラインダによる入念仕上げの必要があり、作業が煩雑であった。
【０００４】
また、ばね帽部とプレス品の側梁本体との組合せ精度を向上させる必要があるため、各部材の位置決め及び拘束等に細心の注意が必要であり、多大な時間と労力及び熟練した技能が必要であり作業効率がわるかった。
【０００５】
そこで、本発明は、構造が簡単、製作が容易であって、かつ、軽量な鉄道車両の台車枠を提供することにある。
【０００６】
【問題を解決するための手段】
本発明は、長手方向の両端部に軸箱支持装置を収納するばね帽部を備える側梁と、平行に配設される前記側梁を接続する横梁と、から構成される鉄道車両の台車枠において、前記側梁は、平板を折り曲げて形成される上面部と下面部とを有す断面コ字型であるとともに、その長手方向の両端部に一体成形される半円筒形状のばね帽凸部を備える第１の側梁部材と、平板を折り曲げて形成される上面部と下面部とを有す断面コ字型であるとともに、その長手方向の両端部に一体成形される半円筒形状のばね帽凸部を備える第２の側梁部材とを備え、前記第１の側梁部材の上面部、下面部、ばね帽凸部の各端縁と、前記第２の側梁部材の上面部、下面部、ばね帽凸部の各端縁とを接合して形成されており、前記側梁の中央部の幅寸法は前記側梁の両端部に形成されるばね帽部の幅寸法より小さく構成されるとともに、前記側梁の中央部の高さ寸法は前記側梁の両端部に形成されるばね帽部の高さ寸法より大きく構成されており、円筒形状の前記ばね帽部を形成する前記上面部に、前記軸箱支持装置を構成する軸バネが配設されること、を特徴とする鉄道車両の台車枠によって達成できる。
【０００８】
また、本発明は、長手方向の両端部に軸箱支持装置を収納するばね帽部を備える側梁と、平行に配設される前記側梁を接続する横梁と、から構成される鉄道車両の台車枠において、前記側梁を構成する側梁部材は、板材を折り曲げて形成される側壁部と上面部とを備える断面Ｌ字型であって、その長手方向両端部に一体成形される半円筒形状のばね帽凸部が備えられる第１の側梁部材と、板材を折り曲げて形成される側壁部と上面部とを備える断面Ｌ字型であって、その長手方向両端部に一体成形される半円筒形状のばね帽凸部が備えられる第２の側梁部材とから構成されており、前記側梁は、前記第１の側梁部材の上面部、ばね帽凸部の各端縁と、前記第２の側梁部材の上面部、ばね帽凸部の各端縁を接合して、開口する１面と連結された５面を備える断面逆Ｕ字型に成形される側梁部材と、前記開口を閉鎖する板体とを備え、前記開口に前記板体を接合して形成されており、前記側梁の中央部の幅寸法は前記側梁の両端部に形成されるばね帽部の幅寸法より小さく構成されるとともに、前記側梁の中央部の高さ寸法は前記側梁の両端部に形成される円筒形状のばね帽部の高さ寸法より大きく構成されており、円筒形状の前記ばね帽部を形成する前記側梁部材の前記上面部に、軸箱支持装置を構成する軸バネが配設されること、を特徴とする鉄道車両の台車枠によって達成できる。
【０００９】
【発明の実施の形態】
以下、本発明による鉄道車両等の台車枠の実施例を図面により説明する。
（実施例１）
図１ないし図４は、本発明の台車枠の実施例を示しており、図１はばね帽部と側梁本体部の一部を示した斜視図、図２及び図３は台車枠の側梁全体を示す平面図及び側面図、図４はばね帽部及び側梁本体部とからなる台車枠に軸ばね，軸箱，軸梁を設置した状態を示す断面図である。
【００１０】
横梁（図示せず）とから構成されている。側梁１００は、側梁本体１０とばね帽部２０を有し、側梁本体１０は中空柱形状をなしその幅方向の垂直断面が箱形に形成されている。ばね帽部２０は側梁本体１０の長手方向両端部に形成され、コイルばね３１を垂直に収納する収納空間が形成されている。
【００１１】
側梁本体部１０の幅寸法Ｒ1はばね帽部２０の幅寸法Ｒ2より狭く、側梁本体部１０の縦（高さ）寸法はばね帽部２０の縦（高さ）寸法Ｈ2より高く構成されている。そして、側梁本体部１０の中央部分には横梁が接合されるのであるが、この中央部付近の高さ寸法Ｈ1が最も高くなるように構成されていおり、ばね帽部２０に近づくに従って側梁本体部１０の高さ寸法が徐々に小さくなるように、側梁本体部１０の下面をテーパ状に構成している。すなわち、側梁本体部１０及びばね帽部２０の上面は平坦に構成され、側梁本体部１０の下面は上面に対して長手方向両端が傾斜して構成されている。
【００１２】
側梁の台車走行方向端部には、軸箱支持装置を構成する軸ばね３１、軸梁３０が設置されている。軸梁３０は、側梁本体部１０の下面にその一端を回動可能に取付けられている。軸梁３０の他端には車軸を回転可能に支持する軸受を収納する軸箱が形成されており、この軸箱部分の上部に軸ばね３１が設置されている。軸ばね３１は側梁１００のばね帽部２０の収納空間に下方から挿入されて設置されている。軸ばね３１とばね帽部２０の上面間には軸ばね座３２が配設されている。この軸ばね３１によって側梁及び横梁からなる台車枠は車軸に対して弾性支持される構造となっている。また、この図面に示す実施例は側梁本体部１０及びばね帽部２０の上面が平坦に構成された例を示しているが、ばね帽部２０に対して段差をもって側梁本体部１０を配設する構成としても良い。また、側梁本体部１０の縦（高さ）寸法をばね帽部２０の縦（高さ）寸法Ｈ２と同等に構成することもできる。
【００１３】
側梁本体部１０は断面コ字型の第１の側梁部材１０ａと第２の側梁部材１０ｂとよりなる。第１の側梁部材１０ａと第２の側梁部材１０ｂは面対称となる形状をなしている。
第１の側梁部材１０ａは長尺平板をプレス加工によって幅方向両側端縁を折り曲げ、側面１３ａの両側に上面部１１ａと下面部１２ａを形成する。さらに、長手方向の両端縁を絞り、張り出しの塑性加工により深くプレス成形して、部材内部に中心を有する中心Ｏ1とする半円形状のばね帽凸部２０ａを形成する。このとき、第１の側梁部材１０ａとの境界部分は部材の内部の中心Ｏ1とは反対であって、部材外部に中心を有する中心Ｏ2の円弧、逆円弧部１７を設けている。
同様に平板をプレス加工により折り曲げ、絞り、張り出し塑性加工により側面１３ｂの両側に上面部１１ｂと下面部１２ｂを有し、長手方向の両端縁に半円形状のばね帽凸部２０ｂを逆円弧部１７を介して形成して、第２の側梁部材１０ｂを形成する。
【００１４】
このようにして形成する断面コの字型の第１の側梁部材１０ａと第２の側梁部材１０ｂを連結して側梁本体部１０を構成する。このとき、第１の側梁部材１０ａと第２の側梁部材１０ｂは、上面部１１ａ，１１ｂの端縁、下面部１２ａ，１２ｂ、ばね帽凸部２０ａ，２０ｂの端縁を突き合わせて、各突き合わせ部を溶接等の手段により接合して、矩形状の閉断面を形成する。なお、前記ばね帽凸部２０ａ，２０ｂはその開口端縁を突き合わせて溶接等の手段により接合することにより、円筒形状の閉断面を形成する。
このように、ばね帽凸部２０ａ，２０ｂを両端に一体成形した各側梁部材１０ａ及び１０ｂを突き合わせで接合した側梁１００は、直線状の接合部１５を中心線とした矩形状の側梁本体１０と、逆円弧部１７を介して半円形状のばね帽凸部２０ａ，２０ｂを突き合わせて接合する円筒形状のばね帽部２０が形成される。
そして、上面形状が直線矩形状に形成される側梁本体１０に対して上面形状が円形状のばね帽部２０との境界部分には、ばね帽部２０の台車枠体内部に中心を有する円弧とは逆の円弧、台車枠の外部に中心をなす円弧、逆円弧部１７を介してばね帽部２０と側梁本体部１０とが一体に構成されている。
【００１５】
このようにして構成される側梁１００のばね帽部２０は、第１、第２側梁部材１０ａ及び１０ｂを突合わせ接合した状態で、上面に軸ばね座３２の円筒部が挿入される穴２１を形成する。また、下面にはコイルばねからなる軸ばね３１が挿入される穴２２が形成される。
また、各溶接部分には補強手段が配設されている。すなわち、第１の側梁部材１０ａと第２の側梁部材１０ｂとの突合わせ部１５の溶接部分には、上面部１１ａ，１１ｂの突合わせ部の裏側に上裏当金４を当接し、さらに、下面部１２ａ，１２ｂの突き合わせ部には下裏当金５が当接され、側梁の表面から溶接が行われる。また、ばね帽部２０の上面部の内側には、当板７を設置して、当板７を切削して軸ばね座３１を受ける面を構成している。
【００１６】
側梁本体１０の補強としては、側梁１００のばね帽部２０と側梁本体部１０との境界部分の逆円弧部１７の側梁本体側に、補強材２を設置する。補強材２は、側梁部材１０ａ及び１０ｂの内面に溶接接合されている。さらに、側梁本体部１０の内部には複数の補強材３が設置されており、側梁部材１０ａ及び１０ｂの上面部１１ａ，１１ｂ、側面部１３ａ，１３ｂ，下面部１２ａ，１２ｂに接合されている。これらの補強材３は上裏当金４及び下裏当金５で左右に分割された形状となっている。
側梁本体部１０の穴６は横梁接合部に相当し、管状に形成された横梁を挿入する。この穴６の周囲には横梁部補強材６１が設置されている。
【００１７】
このように平板部材をプレス成形することによって製作された第１の側梁部材１０ａ及び第２の側梁部材１０ｂにおいて、上裏当金４、下裏当金５、当板７及び補強材２、補強材３は、側梁部材１０ａ及び１０ｂをプレス成形後に予め溶接配設されている。そして、各部材を所定位置に取付けた第１の側梁部材１０ａ及び第２の側梁部材１０ｂを組み合わせて突き合わせた後、溶接を行うことにより側梁１００を構成する。側梁部材１０ａ及び１０ｂの突き合わせ溶接が終わった後に、各穴６，２１，２２の加工を行う。そして、横梁接合穴６に横梁を挿入した後、両者を溶接して台車枠が完成する。
【００１８】
このような構成を有する台車枠において、側梁１００の部分に垂直方向の曲げ荷重が作用した場合、ばね帽部２０及び側梁本体部１０は側梁の長手方向に連続して一体成形された側梁部材によって構成されているので、側梁１００の長手方向について剛性が急変する部分がなく、応力集中が生じることがない。特に、第１の側梁部材１０ａと第２の側梁部材１０ｂとは、側梁１００の長手方向に溶接線１５が連続していることから、側梁に作用する曲げ荷重に対して応力集中が生じにくい構造となり、従来の側梁に必要とされていた溶接ビードの仕上げ工程を簡略化することができる。さらに、第１の側梁部材１０ａと第２の側梁部材１０ｂの側面においては、ばね帽部２０と側梁本体部１０の形状が変化する部分をばね帽部２０の円弧に対して逆の円弧形状を有する逆円弧部１７を形成して、ばね帽部２０と側梁本体部１０との形状が変化する部分の応力集中を防止している。
【００１９】
また、側梁部材１０ａ及び側梁部材１０ｂは、ばね帽部２０及び側梁本体部１０を一体のプレス成形で構成しているので、部品点数が少なく、側梁部材内面に上裏当金４、下裏当金５、及び補強材２、補強材３等を取付けた後、第１、第２側梁部材１０ａ，１０ｂを突き合わせ溶接することにより、側梁１００を完成することができ、作業性が向上する。
さらに、第１の側梁部材１０ａ及び第２の側梁部材１０ｂを組み合わせて構成した側梁１００は、ばね帽部２０の幅寸法Ｒ2よりも側梁本体部１０の幅寸法Ｒ1を狭く（Ｒ2＞Ｒ1）構成することにより、側梁１００自体の軽量化を図ることができる。
【００２０】
（実施例２）
次に図５、図６、図７により実施例２の説明をする。
この実施例の側梁２００はコ形断面のプレス成形作業を容易化するため、側梁先端部を開口とし、コの字型断面のプレス成形品を突き合わせ接合した後、別にプレス成形、あるいは溶接構造で成形した塞板を溶接して開口を閉塞する構成となっている。
１枚の板体の幅方向両端縁を折り曲げて断面コの字型をなす側梁部材１０ｃ，１０ｄを形成する。さらに、長手方向両端縁を深くプレスしてばね帽凸部２０ｃ，２０ｄを形成する。このばね帽凸部２０ｃ，２０ｄの形状は、第１の側梁部材１０ｃと第２の側梁部材１０ｄを突き合わせ接合したとき、先端開口２５が形成する構成としている。そして、開口２５をカバーすることによりばねを収納する円筒形状を形成する塞板１０ｅをプレス成形により用意し、開口２５に溶接接合して、ばね帽部を有する側梁２００を構成する。
この実施例に示す側梁２００は、円形状のばね帽部の形成を３つの部材で構成するので、プレス成形加工が容易となる。
この実施例に示す側梁２００も、側梁部材とばね帽部が一体となって形成されているので、台車の側梁に作用する荷重に対する応力集中が生じにくい構成となっている。
【００２１】
（実施例３）
図８、図９、図１０によりこの実施例を説明する。
側梁４００は断面逆Ｕ字型の側梁本体４０と、開口部を閉塞する下板４５とにより構成されている。
側梁本体４００は１枚の板材をプレス加工により、１面を開口し５面が連結した、断面Ｕ字型を有する箱形状の側梁部材４０を形成し、開口面に下板４５を接合して、閉断面をなす側梁４００を構成している。
側梁部材４０の長手方向両端は、プレス深さを大きくして円筒形状のばね帽部４３を形成している。側梁部材４０の内面には複数の補強部材３が配設され、側梁部材４０とばね帽部４３との境界部分には補強部材２を配設している。
【００２２】
この実施例の構成による側梁４００の全体図を図９、図１０に示す。ここで、図９は上面図であるが、その半分は上板を透視した状態を示している。
側梁４００はばね帽部４３の側梁上板４３０に軸ばね座との間に配設される当板７１を配設する。この当板７１はその幅（枕木）方向の寸法は軸ばね座と十分に接触できる分だけの幅を持ち、長手方向の長さを側梁の端部から軸ばね座との接触部を経由し補強材２と接続する長さとしている。このように構成することにより、当板７１は補強材２を介して側梁下板４５に接続する。そして、軸ばねから台車に荷重が負荷された際、側梁４００はばね帽部４３内に収納する軸ばねを受ける軸ばね座及び当板７１を経由して側梁上板４３０でその荷重を受けるが、補強材２を当板７１と側梁上板４３０とを接続するよう構成しているので、側梁上板４３０の負担する荷重の一部が補強材２を経由して、下板４５に伝わるり、荷重の分散が図られる。
このとき、補強材２の取付け位置は、ばね帽部４３０からの荷重伝達を考慮した適切な場所に設けている。
【００２３】
前記側梁部材４０は、ばね帽部を一体に形成しており、側梁の長手方向に剛性が急変する部分がなく、応力集中が生じない。また、この側梁４００の側梁部材４０には長手方向に延びる接合線がないが、当板７１を補強材２に接続させて、荷重を分散させ、応力の集中を回避させている。
この形式での構成において、図１１に示すように、側梁部材４０Ａのばね帽部４３Ａの先端部分に開口４３Ｂを形成し、側梁部材４０Ａと下板４５を溶接した後、この開口４３Ｂを塞板４３Ｃで塞ぎ、側梁４００Ａとすることもできる。
この側梁４００Ａの製造方法は逆Ｕ字型成形の作業性を容易化することができる。
【００２４】
（実施例４）
図１２を参照して、この実施例を説明する。
一枚の板材をプレス成形により、側壁部５１ａと上板部５３ａを有する，断面Ｌ字型の第１の側梁部材５０ａと、一枚の板材をプレス成形により、側壁部５１ｂと上板部５３ｂを有する断面Ｌ字型の第２の側梁部材５０ｂとを形成する。そして、長手方向両端部をプレス深さを深くして、ばね帽部５５ａ、ばね帽部５５ｂを形成する。そして、第１の側梁部材５０ａと第２の側梁部材５０ｂの上板部５３ａ，上板部５３ｂの端縁を突き合わせて断面Ｕ字型を形成する。そして、開口部分に底板５７を接合して閉断面を形成する側梁５００を構成する。
【００２５】
この側梁５００は実施例１に比べて部品点数が１個多くなるが、プレス成形を容易とし、垂直方向の曲げ荷重が作用した場合、側梁５００の長手方向に連続して一体成形された側梁部材は、側梁５００の長手方向において応力集中が生じることがなく、また、第１の側梁部材５０ａと第２の側梁部材５０ｂとは、側梁５００の長手方向に溶接線が連続して形成されるので、側梁５００に作用する曲げ荷重に対しても応力集中が生じにくい。
【００２６】
このように、ばね帽部と側梁部材を一体成形プレスで連続構成とすることにより、従来では高い応力が発生していたばね帽と側梁本体との溶接部がなくなり、台車枠の品質向上が図れる。また、溶接作業前のばね帽部と側梁本体との位置合わせを行なう作業がなくなり、軸距対角の精度に直接影響を及ぼす部位の溶接による狂いの発生が低減でき、信頼性の向上が図れる。
【００２７】
【発明の効果】
以上説明したように、本発明に係る台車は、軸ばね座付近の高い応力を発生する部分の溶接量、及び側梁を構成する部品の部品点数を減少させ、軽量化が図れる。従来、ばね帽部と側梁の溶接は手溶接によるものであったが、一体成形品の単純形状とすることにより、製品品質の均一化、及びロボットによる自動溶接が可能となり溶接信頼性向上が図れる。
【図面の簡単な説明】
【図１】本発明の側梁の斜視図。
【図２】本発明の側梁の上面図。
【図３】本発明の側梁の側面図。
【図４】本発明の台車枠の説明断面図。
【図５】本発明の側梁の他の実施例を示す斜視図。
【図６】図５の上面図。
【図７】図５の側面図。
【図８】本発明の側梁の他の実施例を示す斜視図。
【図９】図８の一部を透視した上面図。
【図１０】図８の側面図。
【図１１】本発明の側梁の他の実施例を示す斜視図。
【図１２】本発明の側梁の他の実施例を示す斜視図。
【符号の説明】
２，３  補強部材
４  上裏当金
５  下裏当金
６  横梁接合穴
７  当板
１０，４０，５０  側梁本体
１０ａ，１０ｂ，１０ｃ，１０ｄ  側梁部材
１１ａ，１１ｂ  上面部
１２ａ，１２ｂ  下面部
１３ａ，１３ｂ  側面
１５  溶接線
１７  逆円弧部
２０ａ，２０ｂ  ばね帽凸部
２１，２２  穴
２５  開口
３０  軸梁
３１，３２  座
３５  側梁下板
４３  帽部
４３Ｂ  開口
４３Ｃ  塞板
４５  板
５１ａ，５０ｂ  側壁部
５３ａ，５３ｂ  上板部
５７  底板
６１  横梁部補強材
７１  当板
１００，２００，４００，５００  側梁
【図１】
0004428767.tif 000002
【図２】
0004428767.tif 000003
【図３】
0004428767.tif 000004
【図４】
0004428767.tif 000005
【図５】
0004428767.tif 000006
【図６】
0004428767.tif 000007
【図７】
0004428767.tif 000008
【図８】
0004428767.tif 000009
【図９】
0004428767.tif 000010
【図１０】
0004428767.tif 000011
【図１１】
0004428767.tif 000012
【図１２】
0004428767.tif 000013